(57)【要約】【課題】無駄な資源やラベル代が生ずることなく、現在の形態の中で使用されていないスペースを有効活用するようにして、ラベル部を内蔵することを可能とする。【解決手段】伝票基材１１と、伝票基材１１を配送荷物に貼付するためのタック紙１２とが、粘着剤層１６によって、部分的に剥離可能に一体化された１ｐｔ型の配送伝票であって、タック紙１２は、タック基材１３，粘着剤層１４及び剥離紙１５からなるシートであって、タック基材１３の一部を、ハーフカットｈｃで分離可能に区画したラベル部１７が設けられて、「クール冷蔵」、「クール冷凍」などの配送サービスに関する内容が表示されている。【選択図】        図１
2004202920.tif 000002
【特許請求の範囲】
【請求項１】
伝票本体と、
前記伝票本体を配送荷物に貼付するタック基材，粘着剤層及び剥離シートからなるタックシートと、
を備えた配送伝票であって、
前記タック基材の一部を分離可能に区画したラベル部を設け、
前記剥離シートを剥離したときに、前記ラベル部が前記剥離シート側に残るようにしたこと、
を特徴とするラベル内蔵式配送伝票。
【請求項２】
請求項１に記載のラベル内蔵式配送伝票において、
前記ラベル部は、配送サービスに関する内容が表示されていること、
を特徴とするラベル内蔵式配送伝票。
【発明の詳細な説明】
【０００１】
【発明の属する技術分野】
本発明は、伝票本体を配送荷物に貼付するタック基材，粘着剤層及び剥離紙からなるタック紙を備えた配送伝票に関するものである。
【０００２】
【従来の技術】従来、この種の配送伝票は、主として、筆記による複写構造を有する多ｐｔ方式と、デジタルデータの複写による１ｐｔ方式の２種がある（例えば、特許文献１）。
前記いずれの形態も、一般的には、配送物（荷物）に伝票が貼付されるようにタック紙が設けられている。
【０００３】
一方、昨今では、配送サービスには、温度帯（クール冷蔵・クール冷凍）や、届け時間帯といったメニューが用意され、この配送サービスが徹底されるように様々な工夫がなされている。
例えば、温度帯や届け時間帯であれば、配送伝票内に表示を行うとともに、表示される文字が伝票サイズの制約から小さくならざるを得ない現状を補うために「温度帯シール」を別途用意し、伝票の近傍に貼りこんでいる。
【０００４】
【特許文献１】
特開２００１−２５５８２２号公報
【０００５】
【発明が解決しようとする課題】
しかし、上述した従来の配送伝票は、多ｐｔ配送伝票の場合には、最終枚目にタック紙が配置されいるが、このタック紙には、ナンバーだけが設けられており、ナンバー以外の部分は、白紙状態となっており、有効利用されていない。
【０００６】
また、１ｐｔ配送伝票の場合にも、２枚目（最終枚目）にタック紙が配置されているが、このタック紙には、剥離可能な配達票（判取り片と呼ばれる部分）が形成され、約款や営業所の連絡先等が印刷されているものの、剥離不能な貼付票には、全面が１枚目と貼り合わせられており、やはり使用されていない。
【０００７】
さらに、１日に何百もの荷物を配達する配達員や係員にとって、配送サービスが表記されていても、小さな文字であるので、見落としたり、あるいは、間違えたりする可能性があるため、あえて、ラベル代や貼り込み作業費といったコスト増になっても、実施せざるを得なかった。
【０００８】
本発明の課題は、これらの現状を肯定しつつ、かつ、無駄な資源やラベル代が生じないように、現在の形態の中で使用されていないスペースを有効活用するようにしたラベル内蔵式配送伝票を提供することである。
【０００９】
【課題を解決するための手段】
前記課題を解決するために、請求項１の発明は、伝票本体と、前記伝票本体を配送荷物に貼付するタック基材，粘着剤層及び剥離シートからなるタックシートと、を備えた配送伝票であって、前記タック基材の一部を分離可能に区画したラベル部を設け、前記剥離シートを剥離したときに、前記ラベル部が前記剥離シート側に残るようにしたこと、を特徴とするラベル内蔵式配送伝票である。
【００１０】
請求項２の発明は、請求項１に記載のラベル内蔵式配送伝票において、前記ラベル部は、配送サービスに関する内容が表示されていること、を特徴とするラベル内蔵式配送伝票である。
【００１１】
【発明の実施の形態】
以下、図面等を参照して、本発明の実施の形態について、さらに詳しく説明する。
（第１実施形態）
図１は、本発明によるラベル内蔵式配送伝票の第１実施形態を示す模式図である。
第１実施形態に係るラベル内蔵式配送伝票１０は、図１（Ａ）に示すように、伝票基材（伝票本体）１１と、伝票基材１１を配送荷物に貼付するためのタック紙（タックシート）１２とが、粘着剤層１６によって、部分的に剥離可能に一体化された１ｐｔ（パート）型の配送伝票である。
【００１２】
伝票基材１１は、届け先や送り主を印字した記載欄ａを有し、配送荷物に貼付される荷札となり、タック基材１３に剥離不能に設けられた貼付票１１−１と、記載欄ａと同様な記載欄ｂを有し、届け先で配達確認印をもらい、剥離して持ち帰るためのタック基材１３に剥離可能な配達票１１−２とを備えている。
【００１３】
タック紙１２は、タック基材１３，粘着剤層１４及び剥離紙（剥離シート）１５からなるシートであって、この実施形態では、図１（Ｂ）に示すように、タック基材１３の一部を、ハーフカットｈｃで分離可能に区画したラベル部１７が設けられている。
ラベル部１７は、「クール冷蔵」、「クール冷凍」などの配送サービスに関する内容が、文字、図絵、識別記号、ピクト文字（図案化した文字）などで表示されている
【００１４】
第１実施形態のラベル内蔵式配送伝票１０は、上記のように構成されているので、図１（Ｃ）に示すように、この配送伝票１０を配送荷物に貼る際に、剥離紙１５を剥離したときに、ラベル部１７が剥離紙１５側に残る。
このため、特定のサービスを希望する場合には、送り主自身が配送荷物に、希望するサービスの表示されたラベル部１７を選んで貼れるので、確実に選択できるとともに、配達員（この場合は、集荷員を兼ねる）の手間が省ける。
また、この配送伝票１０を配送荷物に貼る動作で、剥離紙１５を剥離したときに、ラベル部１７が現れるので、貼り忘れもなくなる。
従って、配送サービスを、見落としたり、あるいは、間違えたりする可能性がないうえ、ラベルの貼り込み作業費といったコスト増がなくなった。
【００１５】
さらに、従来の配送伝票では、タック紙の一部を使用して、現在の形態の中で使用されていないスペースを有効活用するようにしたので、資源の無駄やラベル代等のコストアップが生じない。
【００１６】
（第２実施形態）
図２は、本発明によるラベル内蔵式配送伝票の第２実施形態を示す模式図である。
なお、前述した第１実施形態と同様な機能を果たす部分には、末尾に統一した符号を付して、重複する説明や図面を適宜省略する。
第２実施形態に係るラベル内蔵式配送伝票２０は、図２（Ａ）、（Ｂ）に示すように、複数枚の帳票２１−１〜２１−６が綴られた伝票綴り（伝票本体）２１と、伝票綴り２１を配送荷物に貼付するためのタック紙２２とが、製袋糊付け部（粘着剤層）２６によって、部分的に剥離可能に一体化された多ｐｔ型の配送伝票である。
【００１７】
伝票綴り（伝票本体）２１は、最上枚目の貼付票２１−１と、最下枚目の台紙２１−６とが製袋されて封筒部を構成し、その封筒部の中に、配達票２１−２や、配送拠点で抜きとられる管理票２１−３〜２１−６等が抜き取り可能に挿入されている。２枚目以降の帳票２１−２〜２１−６は、貼付票２１−１に記載された事項が、裏カーボンやノーカーボン方式で選択的に複写される。
【００１８】
この実施形態では、図２（Ａ）に示すように、タック基材２３の一部を、ハーフカットｈｃで分離可能に区画したラベル部２７が設けられている。ラベル部２７は、「クール冷蔵」、「クール冷凍」などの配送サービスに関する内容が表示されている。
【００１９】
第２実施形態のラベル内蔵式配送伝票２０は、上記のように構成されているので、図２（Ｃ）に示すように、この配送伝票２０を配送荷物に貼る際に、剥離紙２５を剥離したときに、ラベル部２７が剥離紙２５側に残る。
【００２０】
第２実施形態のように、多ｐｔ型の配送伝票であっても、第１実施形態と同様な効果がある。
【００２１】
（変形形態）
以上説明した実施形態に限定されることなく、種々の変形や変更が可能であって、それらも本発明の均等の範囲内である。
（１）例えば、ラベル部は、温度帯サービスに限らず、９〜１２時、１７〜２０時等の届け時間帯サービスを表示するようにしてもよい。また、「ワレモノ」等の注意事項や、配送（集荷）拠点の連絡先などであってもよい。
（２）ラベル部の枚数も、２枚に限らず、タック紙の粘着する機能を損なわない範囲で、何枚設けてもよい。
【００２２】
【発明の効果】
以上詳しく説明したように、本発明によれば、無駄な資源やラベル代が生ずることなく、現在の形態の中で使用されていないスペースを有効活用するようにして、ラベル部を内蔵することができる、という効果がある。
【図面の簡単な説明】
【図１】本発明によるラベル内蔵式配送伝票の第１実施形態を示す模式図である。
【図２】本発明によるラベル内蔵式配送伝票の第２実施形態を示す模式図である。
【符号の説明】
１０，２０  ラベル内蔵式配送伝票
１１，２１  伝票基材（伝票本体）
１１−１，２１−１  貼付票
１１−２，２１−２  配達票
１２，２２  タック紙（タックシート）
１３，２３  タック基材
１４，２４  粘着剤層
１５，２５  剥離紙（剥離シート）
１６，２６  粘着剤層
１７，２７  ラベル部
ａ，ｂ，ｃ  記載欄
ｈｃ  ハーフカット
【図１】
2004202920.tif 000003
【図２】
2004202920.tif 000004